(57)【要約】      （修正有）【課題】音質の劣化を極力防止しつつオーバーダビング等による音楽製作を気軽に行うことができるミキシング記録装置及び制御方法を提供する。【解決手段】まずオリジナル録音「あ」を行うと、自動的に、ファイル名Ｓ１が作成され、これを基礎にして、第１回目のミキシング録音「ミックス１」を行うと、Ｓ１がＳ１＿Ｂ０１”としてバックアップされ、Ｓ１の内容「あ」に「い」がミキシングされて、新たにファイルＳ１とされる。同様にして、「ミックス４」までミキシング録音が進むと、最新（最後）のミキシング結果が、Ｓ１として得られるとともに、最新のミキシング結果に至るまでのミキシング録音の履歴が、Ｓ１＿Ｂ０１”からＳ１＿０４までにバックアップされる。つまり、最新のミキシング結果のＳ１に対してＢｎｍ（ｎ，ｍは、０〜９の整数）を付加することで、Ｓ１のバックアップファイルであり、バックアップの順序も、ユーザが直感的に理解できる。【選択図】    図５
2004157260.tif 000002
【特許請求の範囲】
【請求項１】
音声信号を入力する入力手段と、
所定のメモリに記憶された、音声信号のソースファイルを読み出して再生する再生手段と、
前記入力手段により入力された音声信号と前記再生手段により再生された音声信号とをミキシングして、新たなソースファイルとして、前記メモリに記憶させるミキシング録音手段と、
該ミキシング録音手段により前記新たなソースファイルが記憶される前に、前記メモリに既に記憶されているソースファイルをバックアップするバックアップ手段と
を有し、
前記バックアップ手段は、バックアップすべきソースファイルの名称に関連する名称の新たなファイルであって、そのファイル内容は当該ソースファイルのファイル内容と同じものを生成することにより、当該ソースファイルを自動的にバックアップする
ことを特徴とするミキシング記録装置。
【請求項２】
ユーザがアンドゥを指示するアンドゥ指示手段と、
該アンドゥ指示手段を用いてユーザがアンドゥを指示したときには、前記バックアップされたソースファイルを、バックアップ前のソースファイルに戻すアンドゥ手段と
をさらに有することを特徴とする請求項１に記載のミキシング記録装置。
【請求項３】
音声信号を入力する入力手段と、
所定のメモリに記憶された、音声信号のソースファイルを読み出して再生する再生手段と、
前記入力手段により入力された音声信号と前記再生手段により再生された音声信号とをミキシングして、１つのミックスファイルとして、前記メモリに記憶させるミキシング録音手段と、
該ミキシング録音手段によって既に記憶されたミックスファイルと系統の異なる新たなミックスファイルの生成を指示する指示手段と、
該指示手段による指示に応じて、前記ミキシング録音手段により前記新たなミックスファイルが生成されたときに、該新たなミックスファイルの内容が前記既に記憶されたミックスファイルの内容と系統の異なるものであることを示すファイル名を、該新たなミックスファイルに自動的に付与する付与手段と
を有することを特徴とするミキシング記録装置。
【請求項４】
ミキシング記録装置の制御方法をコンピュータに実現させるためのプログラムであって、
前記制御方法は、
音声信号を入力する入力ステップと、
所定のメモリに記憶された、音声信号のソースファイルを読み出して再生する再生ステップと、
前記入力ステップにより入力された音声信号と前記再生ステップにより再生された音声信号とをミキシングして、新たなソースファイルとして、前記メモリに記憶させるミキシング録音ステップと、
該ミキシング録音ステップにより前記新たなソースファイルが記憶される前に、前記メモリに既に記憶されているソースファイルをバックアップするバックアップステップと
を有し、
前記バックアップステップでは、バックアップすべきソースファイルの名称に関連する名称の新たなファイルであって、そのファイル内容は当該ソースファイルのファイル内容と同じものを生成することにより、当該ソースファイルを自動的にバックアップする
ことを特徴とするプログラム。
【請求項５】
ミキシング記録装置の制御方法をコンピュータに実現させるためのプログラムであって、
前記制御方法は、
音声信号を入力する入力ステップと、
所定のメモリに記憶された、音声信号のソースファイルを読み出して再生する再生ステップと、
前記入力ステップにより入力された音声信号と前記再生ステップにより再生された音声信号とをミキシングして、１つのミックスファイルとして、前記メモリに記憶させるミキシング録音ステップと、
該ミキシング録音ステップによって既に記憶されたミックスファイルと系統の異なる新たなミックスファイルの生成を指示する指示ステップと、
該指示ステップによる指示に応じて、前記ミキシング録音ステップにより前記新たなミックスファイルが生成されたときに、該新たなミックスファイルの内容が前記既に記憶されたミックスファイルの内容と系統の異なるものであることを示すファイル名を、該新たなミックスファイルに自動的に付与する付与ステップと
を有することを特徴とするプログラム。
【発明の詳細な説明】
【０００１】
【発明の属する技術分野】
本発明は、記録された音声信号をモニタしながらマイク等で音声信号を入力し、ミキシングして音楽製作を行えるミキシング記録装置およびその制御方法を実現するためのプログラムに関する。
【０００２】
【従来の技術】
近年、音声圧縮技術や電子部品の小型化技術等の進歩によって、携帯性を高めた音楽装置が実現されている。たとえば、圧縮技術としてＭＰ３（ＭＰＥＧ−１  ＡｕｄｉｏＬａｙｅｒ−ＩＩＩ）を用いた携帯ＭＰ３プレーヤでは、楽曲演奏や歌唱等の音声信号をデジタルサンプリングして生成されるＷＡＶファイルをＭＰ３フォーマット形式でエンコードし、圧縮されたファイルをフラッシュメモリ等に記憶することで、屋外等の外出先で再生が楽しめる。
【０００３】
また、ＭＰ３フォーマット形式でエンコードして記憶しておいた音声信号ファイルを伸長して再生すると同時に、マイクから肉声を入力し、両者をミキシングして再生することで、所望の曲のカラオケ演奏を外出先で楽しめるようにした携帯カラオケ装置も知られている（たとえば、特許文献１参照）。
【０００４】
これらの装置はいずれも、再生を目的としており、マイク等から入力した音声信号を記録保存するものではないが、記録保存を可能にした装置も存在する。たとえば、携帯ＭＰ３レコーダでは、アナログ入力端子を備え、カセットテープレコーダやラジオ等からの音声信号をＡ／Ｄ（Ａｎａｌｏｇ−ｔｏ−Ｄｉｇｉｔａｌ）変換し、さらにＭＰ３フォーマット形式でエンコードして、圧縮されたファイルを音声信号ファイルとして記憶することができる。
【０００５】
ところが、この携帯ＭＰ３レコーダでは、多数の入力信号を多重するミキシング録音はできない。ミキシングが可能な音楽装置としては、たとえば、ダブルラジカセが知られている。このダブルラジカセでは、一方のカセットで楽音を再生しつつ、マイクや外部入力端子からの音声入力信号をこれにミキシングして他方のカセットに多重録音が可能である。
【０００６】
【特許文献１】
特開２０００−３３８９８４号公報
【０００７】
【発明が解決しようとする課題】
しかし、上記ダブルラジカセは、ミキシングを繰り返すことで楽音のアナログ信号でのダビングが繰り返されるため、多数回のミキシングによって音質劣化が激しく、音楽製作には向かない。
【０００８】
また、上記ダブルラジカセによって、多数回のミキシングを行うと、最終のミキシング結果を得るまでに、その途中のミキシング結果がいくつも得られることがある。しかし、上記ダブルラジカセでは、途中のミキシング結果のそれぞれに対して、ミキシングの状態（たとえば、何回目のミキシングなのか）、曲の属性や内容等の情報を付与することはできず、特に、途中のミキシング結果を再利用したい場合に、そのミキシング結果を多数のミキシング結果から見つけ出すことは困難であった。
【０００９】
本発明は、この点に着目してなされたものであり、音質の劣化を極力防止しつつオーバーダビング等による音楽製作を気軽に行うことができるとともに、多数の途中のミキシング結果から目的のものを簡単に見つけ出すことができるミキシング記録装置およびその制御方法を実現するためのプログラムを提供することを目的とする。
【００１０】
【課題を解決するための手段】
上記目的を達成するため、請求項１に記載のミキシング記録装置は、音声信号を入力する入力手段と、所定のメモリに記憶された、音声信号のソースファイルを読み出して再生する再生手段と、前記入力手段により入力された音声信号と前記再生手段により再生された音声信号とをミキシングして、新たなソースファイルとして、前記メモリに記憶させるミキシング録音手段と、該ミキシング録音手段により前記新たなソースファイルが記憶される前に、前記メモリに既に記憶されているソースファイルをバックアップするバックアップ手段とを有し、前記バックアップ手段は、バックアップすべきソースファイルの名称に関連する名称の新たなファイルであって、そのファイル内容は当該ソースファイルのファイル内容と同じものを生成することにより、当該ソースファイルを自動的にバックアップすることを特徴とする。
【００１１】
好ましくは、ユーザがアンドゥを指示するアンドゥ指示手段と、該アンドゥ指示手段を用いてユーザがアンドゥを指示したときには、前記バックアップされたソースファイルを、バックアップ前のソースファイルに戻すアンドゥ手段とをさらに有することを特徴とする。
【００１２】
また、上記目的を達成するため、請求項３に記載のミキシング記録装置は、音声信号を入力する入力手段と、所定のメモリに記憶された、音声信号のソースファイルを読み出して再生する再生手段と、前記入力手段により入力された音声信号と前記再生手段により再生された音声信号とをミキシングして、１つのミックスファイルとして、前記メモリに記憶させるミキシング録音手段と、該ミキシング録音手段によって既に記憶されたミックスファイルと系統の異なる新たなミックスファイルの生成を指示する指示手段と、該指示手段による指示に応じて、前記ミキシング録音手段により前記新たなミックスファイルが生成されたときに、該新たなミックスファイルの内容が前記既に記憶されたミックスファイルの内容と系統の異なるものであることを示すファイル名を、該新たなミックスファイルに自動的に付与する付与手段とを有することを特徴とする。
【００１３】
さらに、請求項４および５に記載の各プログラムは、それぞれ、請求項１および３と同様の技術的思想によって実現できる。
【００１４】
【発明の実施の形態】
図１は、本発明の一実施の形態に係るミキシング記録装置の外観を示す図であり、同図（ａ）は平面図、同図（ｂ）は正面図、同図（ｃ）は右側面図をそれぞれ示す。本ミキシング記録装置２０は、記録された音声信号をモニタしながらマイク等で音声信号を入力し、デジタルミキシングして音楽製作を行うことを目的とした音楽装置であり、特に外出先でも気軽に扱えるようにした携帯型の音楽装置として構成される。
【００１５】
同図（ａ）において、端子（ＤＣ）５１からは直流電源が供給される。定位操作子（ｉｎｐｕｔ  ｐａｎ）５３は、入力音声の定位を設定するのに用いられる。スロット５４には、後述するメモリカード１０が挿入される。ＵＳＢ（Ｕｎｉｖｅｒｓａｌ  Ｓｅｒｉａｌ  Ｂｕｓ）端子５５は、不図示のパーソナルコンピュータとＵＳＢ接続するための端子である。電源スイッチ（ｐｏｗｅｒ）５６は、押下されることで本装置の電源のオン／オフがされる。
【００１６】
同図（ｂ）において、小型の内蔵スピーカ（ｓｐｅａｋｅｒ）５７は、音声信号を補助的に出力したり、各種操作音を発生したりするのに用いられる。内蔵マイク５９、６０（ｍｉｃＬ／Ｒ）は、肉声等の外部音声をアナログ信号としてステレオ入力するのに用いられる。
【００１７】
表示部６１は液晶表示装置で構成され、表示部６１には、状況に応じて、曲名、時刻、演奏時間、モード、設定情報等の各種情報が表示される。ｄｉｓｐ／ｓｙｓスイッチ６２は、表示部６１の表示モードの切り替えや、曲のコピー、消去、曲名変更等のためのシステム設定画面の表示切り替えに用いられる。ｒｅｐスイッチ６３は、楽音のリピート再生を行うとき用いられる。ＥＱスイッチ６４およびｒｅｖスイッチ６５は、出力アンビエントの選択、たとえば、出力音声のイコライジングやリバーブ付与に用いられる。
【００１８】
ｍｉｃスイッチ６６、ｉｎｓｔスイッチ６７およびａｕｘスイッチ６８は、入力音声経路、すなわちインプット選択に用いられ、選択されたいずれか１つのスイッチが点灯する。一方、同図（ｃ）に示すように、装置側面にはｉｎｓｔ端子８４、付属ピン型の外部マイクを接続するための外部マイク（ｅｘｔ−ｍｉｃ）端子８５およびａｕｘ端子８６が設けられる（いずれも入力変換手段の一部）。ｍｉｃスイッチ６６が選択されたときは、通常は、内蔵マイク５９、６０からの信号が入力され得るが、外部マイク（ｅｘｔ−ｍｉｃ）端子８５に外部マイクが接続されているときは、外部マイクからの入力信号が優先される。なお、内蔵マイク選択時は内蔵スピーカ５７が自動的にオフにされる。ｉｎｓｔスイッチ６７が選択されたときは、ｉｎｓｔ端子８４に接続されたギターやキーボード等の電子楽器からの信号が入力され得る。ａｕｘスイッチ６８が選択されたときは、ａｕｘ端子８６に接続されたオーディオ機器等の装置からの信号がライン入力され得る。
【００１９】
同図（ｂ）において、入力レベル調整操作子６９は、入力される音声信号の入力レベルを調整するのに用いられる。出力レベル調整操作子７０は、後述するメモリカード１０に記憶されたソースファイル１１の音声信号の再生レベルを調整するのに用いられる。
【００２０】
ＬＥＤレベルメータ７１は、複数のＬＥＤで構成され、各々が点灯、点滅することで、入力レベル、再生レベル、録音レベル等を表示する。再生録音（ｐｌａｙ／ｓｔｏｐ／ｅｎｔ）ボタン７２は、再生や録音の開始および停止のほか、各種設定の決定キーとして用いられる。ｅｆｆボタン７３は、入力音声信号にディレイ等のエフェクトを付与するのに用いられる。ｍｅｔボタン７４は、メトロノーム機能の設定およびオンオフを指示するのに用いられる。ｔｎｒボタン７５は、チューナ機能やトーンジェネレータ機能を利用するのに用いられる。ｉｎｐｕｔモードでは、入力音声の音高に応じてＬＥＤレベルメータ７１が点滅する。ｔｏｎｅモードでは、設定した音程（基準音）が発音される。
【００２１】
ｒｅｃボタン７６は、入力音声のデジタル録音を行うときに用いられ、押下されると録音待機状態となり、続いて再生録音ボタン７２を押下することで録音が開始される。ｍｉｘボタン７７は、入力音声とソースファイル１１の音声信号とのデジタルミキシング録音を行うときに用いられ、押下されるとミキシング録音待機状態となり、続いて再生録音７２を押下することでミキシング録音が開始される。ｐａｕｓｅボタン７８は、再生の一時停止に用いられる。なお、ボタン７３〜７６には、不図示のＬＥＤが各々内蔵されており、押下操作状況に応じて点灯するようになっている。
【００２２】
プラスボタン７９、マイナスボタン８０は、ソースファイル１１中の曲（以下、「ソング」と称する）の選択に用いられ、プラス、マイナスボタン７９、８０で選択したソングは表示部６１に表示される。所望のソングが表示されたところで再生録音ボタン７２を押下することで、そのソングが決定される。なお、ソングには、ユーザがネームを付けなかった場合は、記憶される際に自動的にネーム（連番等）が付与される。ｕｎｄｏボタン８７は、直前のメモリアクセス処理を取り消して元の状態に復帰するのに用いられる。
【００２３】
同図（ｃ）において、ｐｈｏｎｅ端子８１には、ヘッドフォン等が接続可能で、入力音声、ソング、ミキシング音声の再生を聴くことができる。ボリューム（ｖｏｌ）操作子８２は音声出力レベルを設定するのに用いられる。ｇａｉｎ操作子８３は、ｉｎｓｔ端子８４を介して入力される音声信号のゲイン調整に用いられる。
【００２４】
図２は、本ミキシング記録装置の機能構成を示すブロック図である。なお、メモリカード１０は、可搬型で着脱自在の記憶媒体であり、同図では、メモリカード１０が挿入された状態が示されている。
【００２５】
入力切換部（ｉｎｐｕｔ  ｓｅｌｅｃｔ）２５は、内蔵マイク５９、６０、ｉｎｓｔ端子８４、外部マイク端子８５、またはａｕｘ端子８６のいずれからのアナログ音声信号を入力するかを切り換える。入力切換部２５から出力されたアナログ音声信号は、ＡＤ変換部２６でＡ／Ｄ変換されてデジタル音声信号となり、その後、ＥＱ２７でイコライジングされ、ＤＹＮ２８で子音抑制処理がされ、ＥＦＦ２９でリバーブ、ディレイ、フランジャ等の効果が付与される。
【００２６】
ＥＦＦ２９からの出力信号は、入力レベル調整操作子６９による入力レベル調整および定位操作子５３による定位設定を経て、出力ライン３４に入力される。
【００２７】
メモリカード１０には、ＵＳＢＩ／Ｆ（インターフェイス）３５が備えられている。
【００２８】
図３は、本ミキシング記録装置の内部構成を示すブロック図である。
【００２９】
本装置２０は、ＣＰＵ９１に、バス９７を介して、上記したスロット５４およびＵＳＢ端子５５が接続されるほか、ＲＡＭ９２、ＲＯＭ９３、入出力部９４、操作部９５および表示器９６が接続されて構成される。
【００３０】
ＣＰＵ９１は、本装置全体の制御を司る。ＲＡＭ９２は、各種データを一時的に格納し、ＣＰＵ９１のワークエリアとしても機能する。ＲＯＭ９３は、ＣＰＵ９１が実行する各種制御プログラムのほか、各種データを格納する。
【００３１】
入出力部９４は、入力および出力にかかわる要素群であり、上述した内蔵マイク５９、６０、端子８４〜８６、内蔵スピーカ５７およびｐｈｏｎｅ端子８１等を含む。操作部９５は、入力、操作にかかわる要素群であり、上述したマスター指定スイッチ５８、スイッチ６２〜６８、調整操作子６９、７０およびボタン７２〜８０等を含む。表示器９６は、表示にかかわる要素群であり、上述した表示部６１およびＬＥＤレベルメータ７１で構成される。
【００３２】
図２に戻り、メモリカード１０には、ソースファイル１１およびミックスファイル１２が記憶され得る。これらはいずれも、ＭＰ３形式で圧縮された圧縮音声信号で成るファイルである。
【００３３】
ソースファイル１１は、入力切換部２５を介して入力される内蔵マイク５９、６０等からの入力音声信号とミキシングされるべき元のファイルであり、最初は、ミキシングを伴わない音声入力の録音（以下、「単独録音」と称する）によってミックスファイル１２として記憶されたものである（この場合、ミキシングはされないので、呼び名としては合致しない）。なお、ソースファイル１１は複数存在し得る。また、ソースファイル１１は、他の機器にメモリカード１０を装着して既成のデータを予め記憶することによって得られたものでもよい。
【００３４】
ミックスファイル１２は、ソースファイル１１の音声信号と入力切換部２５を介する入力音声信号とがミキシングされて記憶（以下、「ミキシング録音」と称する）されたものであり、次回からは、元のソースファイル１１に代わって新たなソースファイル１１として利用可能である。
【００３５】
ミキシング録音の場合、ソースファイル１１の音声信号はデコーダ（ＤＥＣＯＤＥ）３７で伸長変換されてデジタル音声信号となる。このデジタル音声信号は、出力レベル調整操作子７０による出力レベル調整を経て、出力ライン３４に入力される。
【００３６】
出力ライン３４からエンコーダ３８に入力されたデジタル音声信号は、エンコーダ３８によりＭＰ３形式で圧縮変換されて、ミックスファイル１２としてメモリカード１０に記憶される。
【００３７】
ミキシング録音によってミックスファイル１２が記憶される際、元のソースファイル１１は、バックアップファイルとして改名され、ミックスファイル１２が新たに元のソースファイル１１と同じ名称に改名されて記憶されることで、見かけ上、ソースファイル１１に新たなソースファイル１１が上書きされるのと同様の処理となる。これにより、ミキシング録音のやり直しを容易に行える。
【００３８】
出力ライン３４からＥＦＦ４０に入力されたデジタル音声信号は、ＥＦＦ４０で効果が付与され、ＥＱ４１でイコライジングされ、ＤＡ変換部４２でＤ／Ａ変換されてアナログ音声信号となり、その後、ボリューム操作子８２による音量設定を経て、ｐｈｏｎｅ端子８１、および場合によっては内蔵スピーカ５７に出力される。
【００３９】
このように、本装置では、入力音声のデジタル録音およびリアルタイム再生、入力音声とソースファイル１１の（ソングの）音声信号とのデジタルミキシング録音およびリアルタイム再生、ソースファイル１１の音声信号の再生等を行うことができる。
【００４０】
本装置２０にはさらに、チューナ４５、チューナ／メトロノーム４４が設けられる。上述したｉｎｐｕｔモードにおいて、チューナ４５は、入力切換部２５から出力されたアナログ音声信号の音高を検出してＬＥＤレベルメータ７１にそれを表示させる。上述したｔｏｎｅモードでは、チューナ／メトロノーム４４から、設定した音程の基準音がＤＡ変換部４２に出力される。メトロノーム機能がオンになっているときは、チューナ／メトロノーム４４からメトロノーム音がＤＡ変換部４２に出力される。基準音またはメトロノーム音は、ｐｈｏｎｅ端子８１または内蔵スピーカ５７から発音される。
【００４１】
ＬＥＤレベルメータ７１は、入力レベル調整操作子６９を経た信号に基づいて、入力音声の入力レベルを表示すると共に、出力レベル調整操作子７０を経たソースファイル１１の信号に基づいて、ソングの出力レベルを表示する。ＬＥＤレベルメータ７１はまた、出力ライン３４からエンコーダ３８に入力される信号の入力レベルを表示する。なお、これら各レベルは、ＬＥＤレベルメータ７１に代えて表示部６１に表示されるようにしてもよい。
【００４２】
なお、図示はしないが、本装置２０は、ＵＳＢ端子５５でパーソナルコンピュータと接続することで、装着されているメモリカード１０内のファイルをパーソナルコンピュータから外部ドライブと同様の感覚でアクセスすることができ、コピー、削除、移動のほか、ソフトウェアを用意すれば編集、加工もパーソナルコンピュータ上で行える。
【００４３】
以下、以上のように構成されたミキシング記録装置が実行する制御処理を、図４および図５を参照して詳細に説明する。
【００４４】
図４は、本実施の形態のミキシング記録装置、特にＣＰＵ９１が実行するパネル処理の手順を示すフローチャートであり、本パネル処理は、メインルーチンを構成する複数の処理のうちの一つである。
【００４５】
前述のように、ユーザが前記ｒｅｃボタン７６を押下すると、録音待機状態となり、続いて再生録音（ｐｌａｙ／ｓｔｏｐ）ボタン７２を押下すると、録音を開始するが、このとき、ミキシング録音でない場合、つまり最初の（オリジナル）録音である場合には、単独録音を開始し（ステップＳ１→Ｓ２→Ｓ３→Ｓ４）、再び再生録音ボタン７２が押下されるまで、単独録音を継続する（ステップＳ７）。そして、再び再生録音ボタン７２が押下されて、単独録音が終了すると、ファイル生成処理を行う（ステップＳ８）。
【００４６】
図５は、録音によってファイルが生成される様子およびその生成後のファイルを示す図であり、（ａ）が、録音によってファイルが生成される様子を示し、（ｂ）が、生成後のファイルを示している。上記単独録音からファイル生成処理に至る処理は、図５（ａ）の１回目の録音、すなわちオリジナル録音に相当し、「あ」という録音内容となっている。そして、ファイル名として、自動的に、“ｓｏｎｇ＿００１”が付与されている。なお、ファイル名は、この“ｓｏｎｇ＿００１”に限らず、どのようなものを採用してもよいが、本発明はミキシング記録装置であり、持ち運びし易いようにコンパクトに設計する必要があるため、前記表示部６１のサイズも制限を受けるので、ファイル名も、この表示部６１のサイズに合った長さのものを採用する必要がある。また、録音内容の「あ」は、例示に過ぎず、実際にユーザが「あ」と発音したものを録音したと考えてもよいし、「あ」は「ピアノ演奏」に相当し、ユーザがピアノ演奏したものを録音したと考えてもよい。後述する「い」、「う」、「え」、「お」についても、同様である。
【００４７】
図４に戻り、録音を開始するときに、ミキシング録音である場合、現在のソースファイル１１をバックアップした（ステップＳ３→Ｓ５）後、ミキシング録音、つまりソースファイル１１の音声信号と前記入力切換部２５を介する入力音声信号とをミキシングして、前記ミックスファイル１２を生成する録音を行う（ステップＳ６）。そして、上記単独録音と同様に、再び再生録音ボタン７２が押下されるまで、ミキシング録音を継続し（ステップＳ７）、再び再生録音ボタン７２が押下されて、ミキシング録音が終了すると、ファイル生成処理を行う（ステップＳ８）。
【００４８】
図５（ａ）中、「ミックス１」から「ミックス４」がミキシング録音に相当し、たとえば、「ミックス１」では、ファイル名“ｓｏｎｇ＿００１”のファイルをファイル名“ｓｏｎｇ＿００１＿ＢＫ０１”としてバックアップし、“ｓｏｎｇ＿００１”の内容「あ」に「い」をミキシングして、新たにファイル“ｓｏｎｇ＿００１”とする。また、ミックス３では、ファイル名“ｓｏｎｇ＿００１”のファイルをファイル名“ｓｏｎｇ＿００１＿ＢＫ０３”としてバックアップし、“ｓｏｎｇ＿００１”の内容「あいう」に「え」をミキシングして、新たにファイル“ｓｏｎｇ＿００１”とする。なお、図５（ａ）中、太字は、ミキシング録音により、新たに追加されたものを示している。
【００４９】
このようにして、「ミックス４」までミキシング録音が進むと、図５（ｂ）のように、最新（最後）のミキシング結果が、“ｓｏｎｇ＿００１”として得られるとともに、最新のミキシング結果に至るまでのミキシング録音の履歴（途中のミキシング結果）が、“ｓｏｎｇ＿００１＿ＢＫ０１”から“ｓｏｎｇ＿００１＿ＢＫ０４”までにバックアップされる。そして、本発明の特徴は、バックアップファイルを作成するときに、このバックアップファイルがどのファイルをバックアップしたものであるかが分かるようなファイル名を付与することにある。すなわち、図示例では、最新のミキシング結果のファイル“ｓｏｎｇ＿００１”に対して、“＿ＢＫｎｍ”（ｎ，ｍは、０〜９の整数）を付加することで、“ｓｏｎｇ＿００１”のバックアップファイルであり、さらに、バックアップファイルの順序も、ユーザが直感的に理解できるようにしている。もちろん、バックアップファイルであることや、その順序が分かるような命名の仕方であれば、これに限らないことは言うまでもない。
【００５０】
図４に戻り、ｕｎｄｏボタン８７が押下されたときには、ｕｎｄｏ処理を行う（ステップＳ１→Ｓ９→Ｓ１０）。ここで、ｕｎｄｏ処理とは、前述のように、直前のメモリアクセス処理を取り消して元の状態に復帰することであるが、より具体的には、たとえば図５（ａ）の「ミックス２」の状態で、ｕｎｄｏボタン８７が押下されると、ミックス１の状態に戻る、すなわち、ファイル“ｓｏｎｇ＿００１＿ＢＫ０２”がファイル“ｓｏｎｇ＿００１”に戻る。
【００５１】
このように、ｕｎｄｏ処理を設けることで、誤ったミキシング録音を行ったとしても、直ちに直前の状態に戻すことができる。つまり、誤ったミキシング録音によって、新たなファイルができてしまい、それを削除しなければならないという手間を省くことができる。
【００５２】
図４に戻り、その他のボタンが押下されたときには、そのボタンに応じた処理を行い（ステップＳ１→Ｓ９→Ｓ１１→Ｓ１２）、いずれにボタンも押下されないときには、何もしないで、本パネル処理を終了し、メインルーチンの他の処理へ進む。
【００５３】
このように、本実施の形態では、ミキシング録音の履歴を時系列で（ファイル名に表現して）管理するようにしたので、ファイル名を見ただけで、そのファイルの内容を想起することができ、目的のファイルを迅速に見つけ出すことができる。
【００５４】
図６は、他のファイル管理方法によってファイルが生成される様子を示す図である。このファイル管理方法は、ミキシング録音で曲を作成しながら、曲のバリエーションを広げる場合に、特に有効である。
【００５５】
図６において、まず、図５（ａ）のオリジナル録音と同様にして、ファイル名“ｓｏｎｇ＿０１”、ファイル内容「あ」のファイルを録音する。次に、これを基礎（ソースファイル）にして、ミキシング録音を行い、新たなミックスファイル（ファイル名“ｓｏｎｇ＿０１＿ＭＸ００１”、ファイル内容「あい」）を生成し、さらに、これを基礎にして、ミキシング録音を行うというように、最新のミックスファイルを基礎にして、順次ミキシング録音を行っていくと、ファイル系統１が生成される。この系列は、各ファイルの名称は異なるものの、図５（ｂ）のファイル系統と同様である。これに対して、ファイル系統１のファイルを残したままで、ファイル“ｓｏｎｇ＿０１”を基礎にして、ファイル系統１とは異なったミキシング録音（図示例では、「か」の入力）を行うと、ファイル系統２が生成される。この場合、ファイル系統２に属するファイルは、ファイル系統１に属するファイルと異なることを示すために、ファイル系統２に属するファイルの名称を、“ｓｏｎｇ＿０１＿ＭＸ１０１”というように異ならせている。そして、ファイル系統も、“ｓｏｎｇ＿０１”に付加する“＿ＭＸｎｍｋ”（ｎ，ｍ，ｋは、０〜９の整数）の３桁の整数ｎｍｋを適宜変更することで、多数系列表現することができる。なお、ファイル系統を変える指示は、典型的には、特定のスイッチを設け（または、本装置２０に既に設けられているスイッチを共用してもよい）、ユーザがこのスイッチを押すことによってなされるが、この他に、たとえば、ファイル“ｓｏｎｇ＿０１”を基礎にしてミキシング録音を行う度に、系統を自動的に変更するようにしてもよい。もちろん、ファイル系統を手動で変えるか自動で変えるかに拘わらず、ファイル名称は自動的に付加される。
【００５６】
このファイル管理方法を用いることで、たとえば、曲を作成するとき、ドラムパターンとベースラインを素材として、キーボードの演奏をミキシングさせてミキシング録音を終了し、ファイル系統１を完成させた後、キーボードの音色を変えたり、アレンジを変えたりしながら、曲のバリエーションを増やし、それをファイル系統２として、この系統に特有のファイル名を付与し、この系統に属するファイルを管理するというような使い方をすることができる。
【００５７】
なお、本実施の形態では、ファイル名称を自動的に付与するようにしたが、自動的に付与されたファイル名称を、後から変更できるようにしてもよい。その場合、ファイル名称を変更したものを基礎として、ミキシング録音するときには、変更後のファイル名称に、前記“＿ＢＫｎｍ”や“＿ＭＸｎｍｋ”を付加するようにすればよい。また、オリジナル録音を行うときに、そのファイル名称の入力を、ユーザに要求するようにしてもよい。
【００５８】
なお、上述した実施の形態の機能を実現するソフトウェアのプログラムコードを記録した記憶媒体を、システムまたは装置に供給し、そのシステムまたは装置のコンピュータ（またはＣＰＵ９１やＭＰＵ）が記憶媒体に格納されたプログラムコードを読出し実行することによっても、本発明の目的が達成されることは言うまでもない。
【００５９】
この場合、記憶媒体から読出されたプログラムコード自体が本発明の新規な機能を実現することになり、そのプログラムコードを記憶した記憶媒体は本発明を構成することになる。
【００６０】
プログラムコードを供給するための記憶媒体としては、たとえば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ９３などを用いることができる。また、他のＭＩＤＩ機器や通信ネットワークを介してサーバコンピュータからプログラムコードが供給されるようにしてもよい。
【００６１】
また、コンピュータが読出したプログラムコードを実行することにより、上述した実施の形態の機能が実現されるだけでなく、そのプログラムコードの指示に基づき、コンピュータ上で稼働しているＯＳなどが実際の処理の一部または全部を行い、その処理によって上述した実施の形態の機能が実現される場合も含まれることは言うまでもない。
【００６２】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ９１などが実際の処理の一部または全部を行い、その処理によって上述した実施の形態の機能が実現される場合も含まれることは言うまでもない。
【００６３】
【発明の効果】
以上説明したように、請求項１または４に記載の発明によれば、音声信号が入力され、所定のメモリに記憶された、音声信号のソースファイルが読み出されて再生され、前記入力された音声信号と前記再生された音声信号とがミキシングされて、新たなソースファイルとして、前記メモリに記憶されるので、音質の劣化を極力防止しつつオーバーダビング等による音楽製作を気軽に行うことができる。そして、前記新たなソースファイルが記憶される前に、前記メモリに既に記憶されているソースファイルがバックアップされるが、このバックアップでは、バックアップすべきソースファイルの名称に関連する名称の新たなファイルであって、そのファイル内容は当該ソースファイルのファイル内容と同じものを生成することにより、当該ソースファイルを自動的にバックアップするので、多数の途中のミキシング結果から目的のものを簡単に見つけ出すことができる。
【００６４】
また、請求項２に記載の発明によれば、アンドゥ指示手段を用いてユーザがアンドゥを指示したときには、前記バックアップされたソースファイルが、バックアップ前のソースファイルに戻されるので、誤ったミキシング録音を行ったとしても、直ちに直前の状態に戻すことができる。
【００６５】
さらに、請求項２または５に記載の発明によれば、音声信号が入力され、所定のメモリに記憶された、音声信号のソースファイルが読み出されて再生され、前記入力された音声信号と前記再生された音声信号とがミキシングされて、新たなミックスファイルとして、前記メモリに記憶されるので、音質の劣化を極力防止しつつオーバーダビング等による音楽製作を気軽に行うことができる。そして、既に記憶されたミックスファイルと系統の異なる新たなミックスファイルの生成が指示されると、この指示に応じて、前記新たなミックスファイルが生成されたときに、該新たなミックスファイルの内容が前記既に記憶されたミックスファイルの内容と系統の異なるものであることを示すファイル名が、該新たなミックスファイルに自動的に付与されるので、多数の途中のミキシング結果から目的のものを簡単に見つけ出すことができるとともに、曲のバリエーションを広げることができる。
【図面の簡単な説明】
【図１】本発明の一実施の形態に係るミキシング記録装置の外観を示す図である。
【図２】図１のミキシング記録装置の機能構成を示すブロック図である。
【図３】図１のミキシング記録装置の内部構成を示すブロック図である。
【図４】図１のミキシング記録装置、特にＣＰＵが実行するパネル処理の手順を示すフローチャートである。
【図５】図１のミキシング記録装置を用いた録音によってファイルが生成される様子およびその生成後のファイルを示す図である。
【図６】他のファイル管理方法によってファイルが生成される様子を示す図である。
【符号の説明】
１０  メモリカード（所定のメモリ）、  １１  ソースファイル、  １２  ミックスファイル、  ２５  入力切換部（入力変換手段の一部）、  ２６  ＡＤ変換部（入力変換手段の一部）、  ３４  出力ライン（ミキシング手段）、  ３７デコーダ、  ３８  エンコーダ、  ５９、６０  内蔵マイク（入力変換手段の一部）、  ６１  表示部、  ８４  ｉｎｓｔ端子（入力変換手段の一部）、  ８５  外部マイク端子（入力変換手段の一部）、  ８６  ａｕｘ端子（入力変換手段の一部）、  ＭＢ  ミキシング部（ミキシング手段）、  ９１  ＣＰＵ、  ９２  ＲＡＭ、  ９３  ＲＯＭ
【図１】
2004157260.tif 000003
【図２】
2004157260.tif 000004
【図３】
2004157260.tif 000005
【図４】
2004157260.tif 000006
【図５】
2004157260.tif 000007
【図６】
2004157260.tif 000008